(57)【要約】【課題】簡単な操作で、受付装置の画面表示部に表示されているデータを、表示装置の表示画面の任意の位置に直接に貼り付けることを可能にする表示システムを提供する。【解決手段】表示システムは、データを受け付けるタブレット装置と、表示画面を有し、タブレット装置と通信可能な表示装置３とを備える。表示装置３は、タブレット装置から送信したデータを受信する通信部３５と、表示画面上の位置を指定する操作を受け付ける受付部３３と、該受付部３３が受け付けた指定操作に応じて、指定された位置を検出する位置検出部３６と、位置検出部３６が検出した位置に、通信部３５が受信したデータを表示させる制御部３０とを有する。【選択図】図３
2015132946.tif 000002
【特許請求の範囲】
【請求項１】
データを受け付ける受付装置と、表示画面を有し、前記受付装置と通信可能な表示装置とを備える表示システムであって、
前記受付装置は、
受け付けたデータを表示する画面表示部と、
該画面表示部に表示されているデータを前記表示装置へ送信する送信手段と
を有し、
前記表示装置は、
前記送信手段が送信したデータを受信する受信手段と、
該受信手段が受信したデータを前記表示画面上の指定された位置に表示させる制御手段と
を有することを特徴とする表示システム。
【請求項２】
前記受付装置は、前記画面表示部に表示されているデータを特定する操作を受け付ける受付手段を有し、
前記送信手段は、前記受付手段が受け付けた特定操作により特定されたデータを前記表示装置に送信するようにしてあることを特徴とする請求項１に記載の表示システム。
【請求項３】
前記表示装置は、
前記表示画面上の位置を指定する操作を受け付ける受付手段と、
該受付手段が受け付けた指定操作に応じて、指定された位置を検出する位置検出手段と
を有し、
前記制御手段は、前記位置検出手段が検出した位置に、前記受信手段が受信したデータを表示させるようにしてあることを特徴とする請求項１又は請求項２に記載の表示システム。
【請求項４】
前記受付装置での送信及び前記表示装置での位置の指定を指示する指示具を一又は複数備え、
前記制御手段は、指示具により指定された前記表示画面上の位置に、該指示具の指示に応じて送信されたデータを表示させるようにしてあることを特徴とする請求項３に記載の表示システム。
【請求項５】
前記画面表示部は、前記表示装置の前記表示画面を表示するようにしてあり、
前記受付装置は、
受け付けたデータを前記画面表示部に表示された表示画面上まで移動する操作を受け付ける受付手段と、
該受付手段が受け付けた移動操作に応じて、移動されたデータの前記画面表示部に表示された表示画面上の位置を検出する位置検出手段と
を有し、
前記送信手段は、前記移動されたデータ及び前記位置検出手段が検出した位置に係る情報を前記表示装置へ送信するようにしてあり、
前記受信手段は、前記送信手段が送信したデータ及び位置に係る情報を受信するようにしてあり、
前記制御手段は、前記受信手段が受信した位置に係る情報に基づいて、前記受信手段が受信したデータを表示させるようにしてあることを特徴する請求項１に記載の表示システム。
【発明の詳細な説明】
【技術分野】
【０００１】
本発明は、データを受け付ける受付装置と、受付装置から送信したデータを指定された位置に表示する表示装置とを備える表示システムに関する。
【背景技術】
【０００２】
近年、大型のディスプレイ等を用いた表示装置として、様々な構成のものが実用化されている。特に、電子黒板などの多数の人に情報を表示する表示装置と、表示装置と通信可能な小型の端末装置とを組合せて構成された表示システムが利用されている。このような表示システムにおいて表示装置と端末装置との間のデータ送受信を行う場合、データをファイル名などのテキスト・シンボルで扱うことが多く、表示装置上でグラフィカルに示されているデータを抽象的にしか扱うことができない。
【０００３】
この問題を解決するために、特許文献１には、携帯端末と通信可能に接続され、携帯端末へデータを転送する電子掲示装置が開示されている。この電子掲示装置では、画面上に掲示されたデータをドラッグ操作により画面の外縁部近傍まで移動させ、外縁部近傍でのドロップ操作によりデータを携帯端末へ転送させる。これにより、データを視認性よく掲示したまま、ドラッグ操作とドロップ操作などの直感的な操作で携帯端末へのデータ転送を実行できる。
【先行技術文献】
【特許文献】
【０００４】
【特許文献１】特開２００８−２５７４４２号公報
【発明の概要】
【発明が解決しようとする課題】
【０００５】
しかしながら、特許文献１の電子掲示装置を利用して携帯端末へデータを転送した場合、単にデータの転送処理のみなので、携帯端末は転送されたデータを直接に表示することができない。具体的には、ユーザが携帯端末の表示画面上のある位置で転送されたデータを表示しようとする場合に、携帯端末上で新たに編集の作業を行う必要があり、操作に手間がかかる。
【０００６】
本発明は斯かる事情に鑑みてなされたものであり、簡単な操作で、受付装置の画面表示部に表示されているデータを、表示装置の表示画面の任意の位置に直接に貼り付けることを可能にする表示システムを提供することを目的とする。
【課題を解決するための手段】
【０００７】
本発明に係る表示システムは、データを受け付ける受付装置と、表示画面を有し、前記受付装置と通信可能な表示装置とを備える表示システムであって、前記受付装置は、受け付けたデータを表示する画面表示部と、該画面表示部に表示されているデータを前記表示装置へ送信する送信手段とを有し、前記表示装置は、前記送信手段が送信したデータを受信する受信手段と、該受信手段が受信したデータを前記表示画面上の指定された位置に表示させる制御手段とを有することを特徴とする。
【０００８】
本発明に係る表示システムは、前記受付装置は、前記画面表示部に表示されているデータを特定する操作を受け付ける受付手段を有し、前記送信手段は、前記受付手段が受け付けた特定操作により特定されたデータを前記表示装置に送信するようにしてあることを特徴とする。
【０００９】
本発明に係る表示システムは、前記表示装置は、前記表示画面上の位置を指定する操作を受け付ける受付手段と、該受付手段が受け付けた指定操作に応じて、指定された位置を検出する位置検出手段とを有し、前記制御手段は、前記位置検出手段が検出した位置に、前記受信手段が受信したデータを表示させるようにしてあることを特徴とする。
【００１０】
本発明に係る表示システムは、前記受付装置での送信及び前記表示装置での位置の指定を指示する指示具を一又は複数備え、前記制御手段は、指示具により指定された前記表示画面上の位置に、該指示具の指示に応じて送信されたデータを表示させるようにしてあることを特徴とする。
【００１１】
本発明に係る表示システムは、前記画面表示部は、前記表示装置の前記表示画面を表示するようにしてあり、前記受付装置は、受け付けたデータを前記画面表示部に表示された表示画面上まで移動する操作を受け付ける受付手段と、該受付手段が受け付けた移動操作に応じて、移動されたデータの前記画面表示部に表示された表示画面上の位置を検出する位置検出手段とを有し、前記送信手段は、前記移動されたデータ及び前記位置検出手段が検出した位置に係る情報を前記表示装置へ送信するようにしてあり、前記受信手段は、前記送信手段が送信したデータ及び位置に係る情報を受信するようにしてあり、前記制御手段は、前記受信手段が受信した位置に係る情報に基づいて、前記受信手段が受信したデータを表示させるようにしてあることを特徴する。
【発明の効果】
【００１２】
本発明によれば、上述したような表示システムを使用することによって、簡単な操作で、受付装置に表示されているデータを、表示装置の表示画面の任意の位置に直接に貼り付けることができるため、ユーザに直感的且つ自然なＵＩを呈して、使用の利便性を高めることができる。これにより、ユーザは、例えば、頭を使うディスカッション時でも、ストレスなく操作することができる。
【図面の簡単な説明】
【００１３】
【図１】本発明に係る実施の形態１の表示システムの構成を示す模式図である。
【図２】本発明に係る実施の形態１の表示システムを構成するタブレット装置の内部構成を示すブロック図である。
【図３】本発明に係る実施の形態１の表示システムを構成する電子黒板の内部構成を示すブロック図である。
【図４】本発明に係る実施の形態１の表示システムで付箋を貼り付ける操作を説明するための概念図である。
【図５】本発明に係る実施の形態１の表示システムで付箋を貼り付ける操作を説明するための概念図である。
【図６】本発明に係る実施の形態１のタブレット装置での送信処理の処理手順を示すフローチャートである。
【図７】本発明に係る実施の形態１の電子黒板での表示処理の処理手順を示すフローチャートである。
【図８】本発明に係る実施の形態２の表示システムを構成する操作用ペンの構成を示すブロック図である。
【図９】本発明に係る実施の形態２のタブレット装置での送信処理の処理手順を示すフローチャートである。
【図１０】本発明に係る実施の形態２の電子黒板での表示処理の処理手順を示すフローチャートである。
【図１１】本発明に係る実施の形態３の表示システムを構成するタブレット装置の内部構成を示すブロック図である。
【図１２】本発明に係る実施の形態３の表示システムを構成するタブレット装置の表示画面を示す概念図である。
【図１３】本発明に係る実施の形態３のタブレット装置での送信処理の処理手順を示すフローチャートである。
【発明を実施するための形態】
【００１４】
（実施の形態１）
図１は、本発明に係る実施の形態１の表示システム１の構成を示す模式図である。表示システム１は、ユーザが夫々用いるタブレット装置２，２，…と、タブレット装置２，２，…と通信可能な電子黒板３とを含んで構成される。実施の形態１では、タブレット装置２，２，…と電子黒板３とは無線通信できるが、ＵＳＢ接続によって有線通信できる構成であってもよい。
【００１５】
図２は、本発明に係る実施の形態１の表示システム１を構成するタブレット装置２の内部構成を示すブロック図である。
【００１６】
タブレット装置２は、制御部２０と、一時記憶部２１と、記憶部２２と、受付部２３と、画面表示部２４と、通信部２５とを備える。
【００１７】
制御部２０は、ＣＰＵ又はＭＰＵ等の演算処理装置を用い、記憶部２２に記憶されているタブレット装置用のプログラムを一時記憶部２１に読み出して実行することにより、タブレット装置２を本発明に係る受付装置として動作させる。
【００１８】
一時記憶部２１にはＳＲＡＭ又はＤＲＡＭ等のＲＡＭを用いる。一時記憶部２１には、上述のように読み出されるプログラムが記憶されると共に、制御部２０の処理によって発生する情報及び後述するユーザに特定されたデータ等が記憶される。
【００１９】
記憶部２２には、ＥＥＰＲＯＭ又はフラッシュメモリ等の不揮発性メモリを用いる。記憶部２２には、タブレット装置用のプログラム及び制御部２０が制御時に参照する条件等、タブレット装置２の機能を実現するためのプログラム及びデータが予め記憶されている。
【００２０】
受付部２３は、後述するディスプレイ２４０に内蔵され、指又は操作用ペン等の指示具による操作を受け付けるタブレット２３０を有する。受付部２３は、文字情報及び／又は図形情報等を含むデータと、これらのデータに対するタップ、ドラッグ、ドロップ、フリック等の操作とを受け付ける。なお、受付部２３には図示しないマウス、又はキーボード等のポインティングデバイスが接続されており、それらのポインティングデバイスにて受け付けた操作に応じた信号を入力してもよい。受付部２３は、本発明の受付装置の受付手段を構成する。
【００２１】
画面表示部２４は、液晶パネル、又は有機ＥＬ等を用いるタッチパネル型のディスプレイ２４０を有する。画面表示部２４は、制御部２０の指示に応じて、ディスプレイ２４０に例えばデータを受け付けるための受付画面、受付部２３が受け付けたデータ、及び操作に必要な画像等を表示する。
【００２２】
通信部２５は、電子黒板３と無線通信を行うことができる。通信部２５は、制御部２０の指示に応じて、受付部２３が受け付けて一時記憶部２１に記憶されているデータを電子黒板３に送信する。通信部２５は、本発明の送信手段を構成する。
【００２３】
図３は、本発明に係る実施の形態１の表示システム１を構成する電子黒板３の内部構成を示すブロック図である。電子黒板３は、制御部３０と、一時記憶部３１と、記憶部３２と、受付部３３と、表示部３４と、通信部３５と、位置検出部３６とを備える。
【００２４】
制御部３０は、ＣＰＵ又はＭＰＵ等の演算処理装置を用い、記憶部３２に記憶されている電子黒板用のプログラムを一時記憶部３１に読み出して実行することにより、電子黒板３を本発明に係る表示装置として動作させる。制御部３０は、本発明の制御手段を構成する。
【００２５】
一時記憶部３１にはＳＲＡＭ又はＤＲＡＭ等のＲＡＭを用いる。一時記憶部３１には、上述のように読み出されるプログラムが記憶されると共に、制御部３０の処理によって発生する情報及びタブレット装置２が送信したデータ等が記憶される。
【００２６】
記憶部３２には、ＥＥＰＲＯＭ又はフラッシュメモリ等の不揮発性メモリを用いる。記憶部３２には、電子黒板用のプログラム及び制御部３０が制御時に参照する条件等、電子黒板３の機能を実現するためのプログラム及びデータが予め記憶されている。
【００２７】
受付部３３は、後述するディスプレイ３４０に内蔵され、指又は操作用ペン等の指示具による操作を受け付けるタブレット３３０を有する。受付部３３は、後述するディスプレイ３４０の表示画面上に行われたタップ、ドラッグ、ドロップ、フリック等の操作を受け付ける。
【００２８】
表示部３４は、液晶パネル、又は有機ＥＬ等を用いるタッチパネル型のディスプレイ３４０を有する。表示部３４は、制御部３０の指示に応じて、ディスプレイ３４０にタブレット装置２が送信したデータ及び操作に必要な画像等を表示する。
【００２９】
通信部３５は、タブレット装置２と無線通信を行うことができる。通信部３５は、制御部３０の指示に応じて、タブレット装置２が送信したデータを受信する。通信部３５は、本発明の受信手段を構成する。
【００３０】
位置検出部３６は、制御部３０の指示に応じて、ユーザが表示画面上の任意の位置をタッチしたときに、タッチ位置の座標を検出して、制御部３０に通知する。位置検出部３６は、本発明の表示装置の位置検出手段を構成する。
【００３１】
図４及び図５は本発明に係る実施の形態１の表示システム１で付箋を貼り付ける操作を説明するための概念図である。
【００３２】
図４において、電子黒板３がデータＡだけを受信した場合が示されている。タブレット装置２では、ユーザは、画面表示部２４に表示された受付画面にデータＡを入力した後、指でデータＡに対して例えばタップ操作を２回行うことにより、データＡを特定する。この場合、特定されたデータＡは一時記憶部２１に記憶される。次に、ユーザは指でデータＡをディスプレイ２４０の外側へドラッグする。データＡがディスプレイ２４０の縁までドラッグされた場合、データＡは電子黒板３へ送信される。
【００３３】
電子黒板３では、タブレット装置２から送信されたデータＡが通信部３５により受信され、一時記憶部３１に記憶される。ユーザは、指で電子黒板３の表示画面上の所望の位置をタッチすることにより、データＡが表示される位置を指定する。一時記憶部３１に記憶されたデータＡは、ユーザがタッチした瞬間に、付箋の形で電子黒板３の表示画面上のタッチ位置に表示される。このように、ユーザは、タップ、ドラッグ及びタッチという一連の簡単な操作により、タブレット装置２側のデータＡを直感的且つ自然に電子黒板３側に貼り付けることができる。
【００３４】
図５において、電子黒板３が複数のデータを受信した場合が示されている。ユーザのタブレット装置２でデータＣを入力して送信する操作は図４の場合と同様であり、ここでは省略する。電子黒板３には、タブレット装置２が送信したデータＣが通信部３５により受信され、一時記憶部３１に記憶される。一時記憶部３１には、データＣだけでなく、先に受信したデータＡ及びデータＢが記憶されている。ユーザは、指で電子黒板３の表示画面上の所望の位置をタッチすることにより、データＡが表示される位置を指定する。一時記憶部３１に記憶されているデータＡ、データＢ、及びデータＣは、ユーザがタッチした瞬間に、付箋の形で電子黒板３の表示画面上のタッチ位置に放射状に表示される。この場合、ユーザは指をデータＣの方向へスライドすることにより、データＣを示す付箋を選択する。選択されたデータＣを示す付箋はタッチ位置に表示されるが、データＡ及びデータＢを示す付箋は消える。なお、複数の付箋がタッチ位置に放射状に表示された場合、ユーザが指を表示画面から離すと、表示されているデータＡ、データＢ、及びデータＣが示す付箋は消える。その後、ユーザが指で再度タッチ又は長押すると、消えたデータＡ、データＢ、及びデータＣが示す付箋は、再度タッチ又は長押した位置に表示される。
【００３５】
図６は本発明に係る実施の形態１のタブレット装置２での送信処理の処理手順を示すフローチャートである。ユーザがデータの受付を指示した場合、この処理が開始される。
【００３６】
制御部２０は、ユーザの指示に応じて、受付画面の表示を画面表示部２４に指示する（ステップＳ１）。画面表示部２４は制御部２０の指示に応じて受付画面を表示する。
【００３７】
制御部２０は、受付部２３がユーザに入力されたデータを受け付けた場合、受け付けたデータの表示を画面表示部２４に指示する（ステップＳ２）。画面表示部２４は制御部２０の指示に応じて受付部２３が受け付けたデータを表示する。
【００３８】
制御部２０は、画面表示部２４に表示されているデータに対するタップ操作があったか否かを判定する（ステップＳ３）。タップ操作がないと判定した場合（ステップＳ３：ＮＯ）、制御部２０は、タップ操作があるまでステップＳ３を繰り返す。タップ操作があったと判定した場合（ステップＳ３：ＹＥＳ）、制御部２０は、タップ操作の回数が２回であるか否かを判定する（ステップＳ４）。タップ操作の回数が２回ではないと判定した場合（ステップＳ４：ＮＯ）、制御部２０は処理を終了させる。タップ操作の回数が２回であると判定した場合（ステップＳ４：ＹＥＳ）、制御部２０は、２回タップされたデータを一時記憶部２１に記憶する（ステップＳ５）。
【００３９】
制御部２０は、データがディスプレイ２４０の縁までドラッグされたか否かを判定する（ステップＳ６）。データがディスプレイ２４０の縁までドラッグされたと判定した場合（ステップＳ６：ＹＥＳ）、制御部２０は、送信先の電子黒板３があるか否かを判定する（ステップＳ７）。
【００４０】
送信先の電子黒板３があると判定した場合（ステップＳ７：ＹＥＳ）、制御部２０は、データの送信を通信部２５に指示し（ステップＳ８）、処理を終了させる。通信部２５は、制御部２０の指示に応じて、ステップＳ５にて記憶したデータを電子黒板３に送信する。
【００４１】
なお、データがディスプレイ２４０の縁までドラッグされなかったと判定した場合（ステップＳ６：ＮＯ）、又は、送信先の電子黒板３がないと判定した場合（ステップＳ７：ＮＯ）、制御部２０は、画面表示部２４にエラーの表示を指示し（ステップＳ９）、処理を終了させる。画面表示部２４は制御部２０の指示に応じてエラーに係る情報を表示する。
【００４２】
図７は本発明に係る実施の形態１の電子黒板３での表示処理の処理手順を示すフローチャートである。通信部３５がタブレット装置２からデータを受信した場合、この処理が開始される。
【００４３】
制御部３０は、通信部３５により受信されたデータを一時記憶部３１に記憶する（ステップＳ２０）。制御部３０は、電子黒板３の表示画面上の任意位置に対する指によるタッチ操作があったか否かを判定する（ステップＳ２１）。タッチ操作がないと判定した場合（ステップＳ２１：ＮＯ）、制御部３０は、タッチ操作があるまでステップＳ２１を繰り返す。
【００４４】
タッチ操作があったと判定した場合（ステップＳ２１：ＹＥＳ）、制御部３０は、表示画面上のタッチ位置の検出を位置検出部３６に指示する（ステップＳ２２）。位置検出部３６は、制御部３０の指示に応じて、タッチ位置の座標を検出する。
【００４５】
制御部３０は、一時記憶部３１に記憶されているデータの数が単数であるか否かを判定する（ステップＳ２３）。データの数が単数であると判定した場合（ステップＳ２３：ＹＥＳ）、制御部３０は、タッチ位置にデータを表示する旨を表示部３４に指示する（ステップＳ２４）。表示部３４は、制御部３０の指示に応じて、ステップＳ２２にて検出した座標に基づいて、一時記憶部３１に記憶されているデータをタッチ位置に表示する。
【００４６】
データの数が単数ではない、つまり、データの数が複数であると判定した場合（ステップＳ２３：ＮＯ）、制御部３０は、タッチ位置に全てのデータを放射状に表示する旨を表示部３４に指示する（ステップＳ２５）。表示部３４は制御部３０の指示に応じて、ステップＳ２２にて検出した座標に基づいて、一時記憶部３１に記憶されている全てのデータを放射状にタッチ位置に表示する。
【００４７】
制御部３０は、指が表示画面から離れたか否かを判定する（ステップＳ２６）。指が表示画面から離れたと判定した場合（ステップＳ２６：ＹＥＳ）、制御部３０は処理をステップＳ２１に戻す。
【００４８】
指が表示画面から離れていないと判定した場合（ステップＳ２６：ＮＯ）、制御部３０は、指が表示画面上をスライドしたか否かを判定する（ステップＳ２７）。指が表示画面上をスライドしていないと判定した場合（ステップＳ２７：ＮＯ）、制御部３０は処理をステップＳ２６に戻す。
【００４９】
指が表示画面上をスライドしたと判定した場合（ステップＳ２７：ＹＥＳ）、制御部３０は、スライド方向に表示されているデータを選択データとして表示する旨を表示部３４に指示し（ステップＳ２８）、処理を終了させる。表示部３４は、制御部３０の指示に応じて、ステップＳ２２にて検出した座標に基づいて、選択データのみをタッチ位置に表示する。
【００５０】
実施の形態１では、１台のタブレット装置２で作成したデータを電子黒板３に表示する場合について説明したが、本発明は、複数台のタブレット装置２、２、…で夫々に作成したデータを電子黒板３に表示する場合にも適用される。
【００５１】
また、複数台のタブレット装置２、２、…で夫々に作成したデータを電子黒板３に送信する場合、電子黒板３は、送信したタブレット装置２によってデータの表示形態を異ならせるように構成されてもよい。例えば、タブレット装置２の通信部２５は、ユーザに特定されたデータ及び当該タブレット装置２のＩＤ情報を電子黒板３に送信する。電子黒板３では、通信部３５は、タブレット装置２から送信されたデータ及びタブレット装置２のＩＤ情報を受信する。制御部３０は、受信されたデータ及びタブレット装置２のＩＤ情報を対応付けて一時記憶部３１に記憶する。一時記憶部３１に複数のタブレット装置２が送信したデータが記憶されている場合、ユーザが電子黒板３の表示画面をタッチしたときに、制御部３０は、複数のデータに対応するＩＤ情報に基づいて、異なるタブレット装置２からのデータを異なる色で表示させる。
【００５２】
実施の形態１のタブレット装置２では、データがディスプレイ２４０の縁までドラッグされた場合に、データを電子黒板３へ送信するように構成されたが、ユーザの送信操作として、前述したドラッグ操作に限らず、データをディスプレイ２４０の外側へフリックする操作であってもよいし、データをディスプレイ２４０の特定領域に移動する操作であってもよいし、予め設定された他の操作であってもよい。
【００５３】
また、実施の形態１では、表示されているデータは２回タップされた場合に特定されるが、特定操作として、前述した２回のタップ操作に限らず、任意回数のタップ操作であってもよいし、予め設定された他の操作であってもよい。また、実施の形態１では、ユーザが指で操作する場合について説明するが、操作用ペン等の指示具で操作する場合も同様である。
【００５４】
（実施の形態２）
実施の形態２は、実施の形態１において識別情報を内蔵した操作用ペンで操作する形態である。なお、以降の説明において、実施の形態１と同様の構成については、実施の形態１を参照するものとし、その説明を省略する。
【００５５】
図８は本発明に係る実施の形態２の表示システム１を構成する操作用ペン４の構成を示すブロック図である。操作用ペン４は、無線タグと呼ばれるＲＦＩＤ装置４０を内蔵する。このＲＦＩＤ装置４０は、内部に操作用ペン４の識別情報を記憶し、受信した電波によって電圧を発生し、これによって記憶した識別情報を送信する。
【００５６】
ユーザが操作用ペン４でタブレット装置２を操作してデータの送信を指示した場合、タブレット装置２では、受付部２３で操作用ペン４の送信操作を受け付け、通信部２５を介して、ＲＦＩＤ装置４０に電波を送信して識別情報を読み取るためのＲＦＩＤ無線データ通信を行って、操作用ペン４の識別情報を取得する。通信部２５は、取得した識別情報とユーザに特定されたデータとを電子黒板３に送信する。
【００５７】
電子黒板３では、通信部３５は、タブレット装置２が送信した識別情報とデータとを受信する。制御部３０は、受信した識別情報とデータとを対応付けて一時記憶部３１に記憶される。ユーザが操作用ペン４で電子黒板３の表示画面上の任意の位置をタッチしたときに、通信部３５は、ＲＦＩＤ装置４０に電波を送信して識別情報を読み取るためのＲＦＩＤ無線データ通信を行って、操作用ペン４の識別情報を取得する。制御部３０は、一時記憶部３１に記憶されているデータのうち、取得された識別情報に対応するデータをタッチ位置に表示させる。
【００５８】
図９は本発明に係る実施の形態２のタブレット装置２での送信処理の処理手順を示すフローチャートである。ユーザがデータの受付を指示した場合、この処理が開始される。
【００５９】
制御部２０は、ユーザの指示に応じて、受付画面の表示を画面表示部２４に指示する（ステップＳ４１）。画面表示部２４は制御部２０の指示に応じて受付画面を表示する。
【００６０】
制御部２０は、受付部２３がユーザに入力されたデータを受け付けた場合、受け付けたデータの表示を画面表示部２４に指示する（ステップＳ４２）。画面表示部２４は制御部２０の指示に応じて受付部２３が受け付けたデータを表示する。
【００６１】
制御部２０は、画面表示部２４に表示されているデータに対するタップ操作があったか否かを判定する（ステップＳ４３）。タップ操作がないと判定した場合（ステップＳ４３：ＮＯ）、制御部２０は、タップ操作があるまでステップＳ４３を繰り返す。
【００６２】
タップ操作があったと判定した場合（ステップＳ４３：ＹＥＳ）、制御部２０は、タップ操作の回数が２回であるか否かを判定する（ステップＳ４４）。タップ操作の回数が２回ではないと判定した場合（ステップＳ４４：ＮＯ）、制御部２０は処理を終了させる。タップ操作の回数が２回であると判定した場合（ステップＳ４４：ＹＥＳ）、制御部２０は、２回タップされたデータを一時記憶部２１に記憶する（ステップＳ４５）。
【００６３】
制御部２０は、データがディスプレイ２４０の縁までドラッグされたか否かを判定する（ステップＳ４６）。データがディスプレイ２４０の縁までドラッグされたと判定した場合（ステップＳ４６：ＹＥＳ）、制御部２０は、操作用ペン４の識別情報を取得する（ステップＳ４７）。
【００６４】
制御部２０は、送信先の電子黒板３があるか否かを判定する（ステップＳ４８）。送信先の電子黒板３があると判定した場合（ステップＳ４８：ＹＥＳ）、制御部２０は、データと識別情報との送信を通信部２５に指示し（ステップＳ４９）、処理を終了させる。通信部２５は、制御部２０の指示に応じて、ステップＳ４５にて記憶したデータ及びステップＳ４７にて取得した識別情報を電子黒板３に送信する。
【００６５】
なお、データがディスプレイ２４０の縁までドラッグされなかったと判定した場合（ステップＳ４６：ＮＯ）、又は、送信先の電子黒板３がないと判定した場合（ステップＳ４８：ＮＯ）、制御部２０は、画面表示部２４にエラーの表示を指示し（ステップＳ５０）、処理を終了させる。画面表示部２４は制御部２０の指示に応じてエラーに係る情報を表示する。
【００６６】
図１０は本発明に係る実施の形態２の電子黒板３での表示処理の処理手順を示すフローチャートである。通信部３５がタブレット装置２からデータ及び識別情報を受信した場合、この処理が開始される。
【００６７】
制御部３０は、受信されたデータ及び識別情報を対応付けて一時記憶部３１に記憶する（ステップＳ６０）。制御部３０は、電子黒板３の表示画面上の任意位置に対する指示具によるタッチ操作があったか否かを判定する（ステップＳ６１）。制御部３０は、タッチ操作がないと判定した場合（ステップＳ６１：ＮＯ）、タッチ操作があるまでステップＳ６１を繰り返す。
【００６８】
制御部３０は、タッチ操作があったと判定した場合（ステップＳ６１：ＹＥＳ）、表示画面上のタッチ位置の検出を位置検出部３６に指示する（ステップＳ６２）。位置検出部３６は、制御部３０の指示に応じて、タッチ位置の座標を検出する。
【００６９】
制御部３０は、操作用ペン４の識別情報を取得し（ステップＳ６３）、一時記憶部３１に記憶されているデータのうち、ステップＳ６３にて取得した識別情報に対応するデータの数が単数であるか否かを判定する（ステップＳ６４）。制御部３０は、データの数が単数であると判定した場合（ステップＳ６４：ＹＥＳ）、タッチ位置にデータを表示する旨を表示部３４に指示する（ステップＳ６５）。表示部３４は、制御部３０の指示に応じて、ステップＳ６２にて検出した座標に基づいて、一時記憶部３１に記憶されているデータのうち、ステップＳ６３にて取得した識別情報に対応するデータをタッチ位置に表示する。
【００７０】
制御部３０は、データの数が単数ではない、つまり、データの数が複数であると判定した場合（ステップＳ６４：ＮＯ）、取得した識別情報に対応する全てのデータを放射状にタッチ位置に表示する旨を表示部３４に指示する（ステップＳ６６）。表示部３４は制御部３０の指示に応じて、ステップＳ６２にて検出した座標に基づいて、一時記憶部３１に記憶されているデータのうち、ステップＳ６３にて取得した識別情報に対応する全てのデータを放射状にタッチ位置に表示する。
【００７１】
制御部３０は、操作用ペン４が表示画面から離れたか否かを判定する（ステップＳ６７）。制御部３０は、操作用ペン４が表示画面から離れたと判定した場合（ステップＳ６７：ＹＥＳ）、処理をステップＳ６１に戻す。
【００７２】
制御部３０は、操作用ペン４が表示画面から離れていないと判定した場合（ステップＳ６７：ＮＯ）、操作用ペン４が表示画面上をスライドしたか否かを判定する（ステップＳ６８）。制御部３０は、操作用ペン４が表示画面上をスライドしていないと判定した場合（ステップＳ６８：ＮＯ）、処理をステップＳ６７に戻す。
【００７３】
制御部３０は、操作用ペン４が表示画面上をスライドしたと判定した場合（ステップＳ６８：ＹＥＳ）、スライド方向に沿って表示されているデータを選択データとして表示する旨を表示部３４に指示し（ステップＳ６９）、処理を終了させる。表示部３４は、制御部３０の指示に応じて、ステップＳ６２にて検出した座標に基づいて、選択データのみをタッチ位置に表示する。
【００７４】
このように、電子黒板３では、操作用ペン４の識別情報に基づいてデータを表示するため、ユーザが複数人いる場合、各ユーザの操作用ペン４，４，…の識別情報を異ならせることにより、ユーザが操作用ペン４でタッチすると、当該ユーザのデータのみを表示することができる。
【００７５】
実施の形態２では、タブレット装置２での送信処理において、操作用ペン４の識別情報を取得する処理は、データがディスプレイ２４０の縁までドラッグされた場合に実行されたが、これに限らず、データ及び識別情報を送信する前に実行されればよい。また、電子黒板３での表示処理において、操作用ペン４の識別情報を取得する処理は、タッチ位置を検出した後に実行されたが、タッチ位置を検出する前に実行されてもよい。さらに、実施の形態２では、ＲＦＩＤ装置を利用して操作用ペン４とタブレット装置２及び電子黒板３との通信を行ったが、ＲＦＩＤ装置に限らず、例えば赤外線などの他の手段を利用して操作用ペン４とタブレット装置２及び電子黒板３との通信を行ってもよい。
【００７６】
（実施の形態３）
図１１は、本発明に係る実施の形態３の表示システム１を構成するタブレット装置５の内部構成を示すブロック図である。
【００７７】
タブレット装置５は、制御部５０と、一時記憶部５１と、記憶部５２と、受付部５３と、画面表示部５４と、通信部５５と、位置検出部５６とを備える。
【００７８】
制御部５０は、ＣＰＵ又はＭＰＵ等の演算処理装置を用い、記憶部５２に記憶されているタブレット装置用のプログラムを一時記憶部５１に読み出して実行することにより、表示システムのタブレット装置５を本発明に係る受付装置として動作させる。
【００７９】
一時記憶部５１にはＳＲＡＭ又はＤＲＡＭ等のＲＡＭを用いる。一時記憶部５１には、上述のように読み出されるプログラムが記憶されると共に、制御部５０の処理によって発生する情報が記憶される。
【００８０】
記憶部５２には、ＥＥＰＲＯＭ又はフラッシュメモリ等の不揮発性メモリを用いる。記憶部５２には、タブレット装置用のプログラム及び制御部５０が制御時に参照する条件等、タブレット装置５の機能を実現するためのプログラム及びデータが予め記憶されている。
【００８１】
受付部５３には、後述するディスプレイ５４０上に内蔵され、操作用ペン又は指等の指示具による操作を受け付けるタブレット５３０を有する。受付部５３は、文字情報及び／又は図形情報等を含むデータと、これらのデータに対するタップ、ドラッグ、ドロップ、フリック等の操作とを受け付ける。なお、受付部５３には図示しないマウス、又はキーボード等のポインティングデバイスが接続されており、それらのポインティングデバイスにて受け付けた操作に応じた信号を入力してもよい。受付部５３は、本発明の受付装置の受付手段を構成する。
【００８２】
画面表示部５４には、液晶パネル、又は有機ＥＬ等を用いるタッチパネル型のディスプレイ５４０を有する。画面表示部５４は、制御部５０の指示に応じて、ディスプレイ５４０に、例えば、データを受け付けるための受付画面、受付部５３が受け付けたデータ、電子黒板３の表示画面、及び操作に必要な画像等を表示する。
【００８３】
図１２は、本発明に係る実施の形態３の表示システム１を構成するタブレット装置５の表示画面を示す概念図である。ディスプレイ５４０上に、ユーザが入力したデータを受け付けるためのデータ受付領域５４１と、電子黒板３の表示画面を縮小して表示する画面表示領域５４２とが隣接して表示される。画面表示領域５４２において、電子黒板３の表示画面と同様にＸＹ座標が設けられ、画面表示領域５４２の各位置のＸＹ座標は、対応する電子黒板３の表示画面の各位置のＸＹ座標に一致している。ユーザは、ドラッグ及びドロップ操作によって、データ受付領域５４１に表示されているデータを画面表示領域５４２に移動することができる。
【００８４】
位置検出部５６は、制御部５０の指示に応じて、データが画面表示領域５４２に移動された場合に、移動されたデータの画面表示領域５４２における位置の座標を検出して、制御部５０に通知する。位置検出部５６は、本発明の受付装置の位置検出手段を構成する。
【００８５】
通信部５５は、電子黒板３と無線通信を行うことができる。通信部５５は、制御部５０に指示に応じて、画面表示領域５４２に移動されたデータと、位置検出部５６が検出した位置の座標とを電子黒板３に送信する。通信部５５は、本発明の送信手段を構成する。
【００８６】
図１２を参照して、本発明に係る実施の形態３の表示システム１で付箋を貼り付ける操作について説明する。タブレット装置５では、ユーザは、データ受付領域５４１にデータＤを入力した後、データ受付領域５４１に表示されているデータＤを画面表示領域５４２へドラッグし、画面表示領域５４２の所望の位置にドロップする。この場合、画面表示領域５４２におけるデータＤの位置の座標が検出され、データＤとともに電子黒板３へ送信される。
【００８７】
図１３は本発明に係る実施の形態３のタブレット装置５での送信処理の処理手順を示すフローチャートである。ユーザがデータの受付を指示した場合、この処理が開始される。
【００８８】
制御部５０は、ユーザの指示に応じて、データ受付領域５４１及び画面表示領域５４２を含む画面の表示を画面表示部５４に指示する（ステップＳ８１）。画面表示部５４は制御部５０の指示に応じてデータ受付領域５４１及び画面表示領域５４２を表示する。
【００８９】
制御部５０は、受付部５３がユーザに入力されたデータを受け付けた場合、受け付けたデータの表示を画面表示部５４に指示する（ステップＳ８２）。画面表示部５４は制御部５０の指示に応じて受け付けたデータを表示する。
【００９０】
制御部５０は、データ受付領域５４１に表示されているデータが画面表示領域５４２に移動されたか否かを判定する（ステップＳ８３）。データ受付領域５４１に表示されているデータが画面表示領域５４２に移動されていないと判定した場合（ステップＳ８３：ＮＯ）、制御部５０は、データ受付領域５４１に表示されているデータが画面表示領域５４２に移動されるまで、ステップＳ８３の処理を繰り返す。データ受付領域５４１に表示されているデータが画面表示領域５４２に移動されたと判定した場合（ステップＳ８３：ＹＥＳ）、制御部５０は、移動されたデータの画面表示領域５４２における位置の座標を検出する旨を位置検出部５６に指示する（ステップＳ８４）。位置検出部５６は、制御部５０の指示に応じて、移動されたデータの画面表示領域５４２における位置の座標を検出する。
【００９１】
制御部５０は、送信先の電子黒板３があるか否かを判定する（ステップＳ８５）。送信先の電子黒板３がないと判定した場合（ステップＳ８５：ＮＯ）、制御部５０は、画面表示部５４にエラーの表示を指示し（ステップＳ８６）、処理を終了させる。画面表示部５４は制御部５０の指示に応じてエラーに係る情報を表示する。
【００９２】
送信先の電子黒板３があると判定した場合（ステップＳ８５：ＹＥＳ）、制御部５０は、データ及び位置の座標の送信を通信部５５に指示し（ステップＳ８７）、処理を終了させる。通信部５５は、制御部５０の指示に応じて、データ及び座標を電子黒板３に送信する。
【００９３】
電子黒板３では、通信部３５はタブレット装置５が送信したデータＤ及びその位置の座標を受信し、制御部３０は、受信された位置の座標に基づいて、データＤを付箋の形で表示画面に表示させる。これにより、ユーザは、タブレット装置５でのドラッグ及びドロップという簡単な操作のみにより、タブレット装置５側のデータＤをリアルタイムに電子黒板３側に貼り付けることができる。
【００９４】
以上の実施の形態では、表示装置としては、大型ディスプレイが搭載された電子黒板３について説明したが、電子黒板に限らず、小型ディスプレイが搭載された携帯装置であってもよいし、任意サイズのディスプレイが搭載されたパソコンであってもよい。
【００９５】
本発明に係る表示システム（１）は、データを受け付ける受付装置（２、５）と、表示画面を有し、前記受付装置（２、５）と通信可能な表示装置（３）とを備える表示システム（１）であって、前記受付装置（２、５）は、受け付けたデータを表示する画面表示部（２４、５４）と、該画面表示部（２４、５４）に表示されているデータを前記表示装置（３）へ送信する送信手段（２５、５５）とを有し、前記表示装置（３）は、前記送信手段（２５、５５）が送信したデータを受信する受信手段（３５）と、該受信手段（３５）が受信したデータを前記表示画面上の指定された位置に表示させる制御手段（３０）とを有することを特徴とする。
【００９６】
本発明において、表示システムのユーザは、簡単な操作で、受付装置の画面表示部に表示されているデータを、表示装置の表示画面の任意の位置に直接に貼り付けることができる。
【００９７】
本発明に係る表示システム（１）は、前記受付装置（２）は、前記画面表示部（２４）に表示されているデータを特定する操作を受け付ける受付手段（２３）を有し、前記送信手段（２５）は、前記受付手段（２３）が受け付けた特定操作により特定されたデータを前記表示装置（３）に送信するようにしてあることを特徴とする。
【００９８】
本発明において、表示システムのユーザは、受付装置側で特定したデータを、表示装置側に貼り付けることができる。
【００９９】
本発明に係る表示システム（１）は、前記表示装置（３）は、前記表示画面上の位置を指定する操作を受け付ける受付手段（３３）と、該受付手段（３３）が受け付けた指定操作に応じて、指定された位置を検出する位置検出手段（３６）とを有し、前記制御手段（３０）は、前記位置検出手段（３６）が検出した位置に、前記受信手段（３５）が受信したデータを表示させるようにしてあることを特徴とする。
【０１００】
本発明において、表示システムのユーザは、表示装置側の簡単な操作により、受付装置側のデータを直感的且つ自然に表示装置側の所望の位置に貼り付けることができる。
【０１０１】
本発明に係る表示システム（１）は、前記受付装置（２）での送信及び前記表示装置（３）での位置の指定を指示する指示具（４）を一又は複数備え、前記制御手段（３０）は、指示具（４）により指定された前記表示画面上の位置に、該指示具（４）の指示に応じて送信されたデータを表示させるようにしてあることを特徴とする。
【０１０２】
本発明において、表示システムのユーザが複数人いる場合、ユーザは、指示具を利用して、自身が送信を指示したデータのみを表示装置に貼り付けることを可能にする。
【０１０３】
本発明に係る表示システム（１）は、前記画面表示部（５４）は、前記表示装置（３）の前記表示画面を表示するようにしてあり、前記受付装置（５）は、受け付けたデータを前記画面表示部（５４）に表示された表示画面上まで移動する操作を受け付ける受付手段（５３）と、該受付手段（５３）が受け付けた移動操作に応じて、移動されたデータの前記画面表示部（５４）に表示された表示画面上の位置を検出する位置検出手段（５６）とを有し、前記送信手段（５５）は、前記移動されたデータ及び前記位置検出手段（５６）が検出した位置に係る情報を前記表示装置（３）へ送信するようにしてあり、前記受信手段（３５）は、前記送信手段（５５）が送信したデータ及び位置に係る情報を受信するようにしてあり、前記制御手段（３０）は、前記受信手段（３５）が受信した位置に係る情報に基づいて、前記受信手段（３５）が受信したデータを表示させるようにしてあることを特徴する。
【０１０４】
本発明において、表示システムのユーザは、受付装置側の簡単な操作のみにより、受付装置側のデータをリアルタイムに表示装置側に貼り付けることができる。
【０１０５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１０６】
１  表示システム
２、５  タブレット装置
３  電子黒板
２０、３０、５０  制御部
２３、３３、５３  受付部
２４、５４  画面表示部
３４  表示部
２５、３５、５５  通信部
３６、５６  位置検出部
４  操作用ペン
【図１】
2015132946.tif 000003
【図２】
2015132946.tif 000004
【図３】
2015132946.tif 000005
【図４】
2015132946.tif 000006
【図５】
2015132946.tif 000007
【図６】
2015132946.tif 000008
【図７】
2015132946.tif 000009
【図８】
2015132946.tif 000010
【図９】
2015132946.tif 000011
【図１０】
2015132946.tif 000012
【図１１】
2015132946.tif 000013
【図１２】
2015132946.tif 000014
【図１３】
2015132946.tif 000015